(57)【要約】      （修正有）【課題】伸縮性の編み糸および編成方法を変えて所要の伸びをもたせることにより、肌触り良く窮屈感をもたない女性用成形ショーツを得る。【解決手段】女性用成形ショーツは、ショーツの前身頃２および後身頃の両面を、上部７、中部８、下部９の三領域に分けて編成し、成形ショーツ身頃本体の上部、下部に使用される弾性糸を太くて緊迫力の強い弾性糸とし、中部に使用される弾性糸を、上部、下部に使用される弾性糸より緊迫力の弱い弾性糸を使用することにより連続して編成する。しかも編組織を部位によって変化させることにより、各部位に必要な伸び率と緊迫性をもたせることができ、女性下半身に無理なくフィットし、着心地の良い成形ショーツを形成する。【選択図】図１
0003160540.tif 000002
【実用新案登録請求の範囲】
【請求項１】
女性用成形ショーツにおいて、ショーツ身頃本体の前身頃および後身頃の両面を、ウエスト部から股下脚部上部にかけて、上部、中部、下部の三領域に分けて連続して編成してなる編地とし、成形ショーツ身頃本体の上部、下部の編地に使用される弾性糸を太くて緊締力の強い弾性糸とし、身頃本体の中部に使用される弾性糸を、上部、下部に使用される弾性糸より緊締力の弱い弾性糸とすることにより編成してなる編地を用いたことを特徴とする女性用成形ショーツ。
【請求項２】
女性用成形ショーツ前身頃の、ショーツ身頃本体上部と中部にわたり、前身頃ウエスト部から前身頃の股下に設けたクロッチ布にいたる腹部を覆う逆三角形部分の編み組織、及びショーツ後身頃のショーツ身頃本体下部におけるヒップ下端外周より下方に相当する部分の編み組織とを、伸び率を低く編成し、これらの部分の伸び率を低く抑えたことを特徴とする請求項１に記載の女性用成形ショーツ。
【請求項３】
女性用成形ショーツの前記腹部を覆う逆三角形部分を除く左右裾口に至る脚部を含む前身頃、及びショーツ後身頃のショーツ身頃本体下部におけるヒップ下端外周より下方に相当する部分を除くヒップ部を含む後身頃、及びクロッチ布とが請求項２の部位より伸び率の高い編地で編成されていることを特徴とする請求項１又は請求項２に記載の女性用成形ショーツ。 
【考案の詳細な説明】
【技術分野】
【０００１】
本考案は、女性用成形ショーツであって、腹部や腰周りによくフィットし、しかもヒップアップ効果をも有するボーイズレングスに関する。
【背景技術】
【０００２】
近年、女性用成形ショーツとして身体によくフィットし、運動時にもずれが生じないボーイズレングスと呼ばれるショーツが好まれるようになった。ボーイズレングスは、主として伸縮性の布地を使用し、ウエスト部から腹部と腰部を覆い、股下下方において両脚部上端を覆う身体形状に沿った形状のものであるが、近年、更に着用時の装着感の向上に加えて、女性身体の補整成形機能をも有するボーイズレングスが好まれるようになった。従来は、腹部、腰部の補整成形のためには、ガードルが使用されており、ガードルとしての補整成形効果を高めるために種々の考案がなされている。
【０００３】
例えば、ボトム下着として複数本の糸条を合わせたプレーティング編により編成し、後身面にフロート編み組織で後身頃の全幅にわたって延びる略エ字型ヒップ引き上げ部を設け、ヒップ部を持ち上げる構造が開示されており（特許文献１）、また、ガードル本体生地の裏側に、本体生地よりも伸縮性に富んだ生地を取り付け二重構造とし、腹部やヒップ部も必要に応じて三重生地構造とすることも開示されている（特許文献２）。更に、非伸縮性布材と伸縮性素材からなる布パネルを縫着したもの（特許文献３）、一定のヤーン伸長率の高い高伸度の弾性糸を使用して丸編み又は平編みにより伸び率の異なる複数の編み組織で編み上げるガードル等の下着も提案されている。（特許文献４）
【先行技術文献】
【特許文献】
【０００４】
【特許文献１】実用新案登録第２５３３１６７号公報
【特許文献２】実用新案登録第３０１３６２２号公報
【特許文献３】特許公報第２９２８１１７号
【特許文献４】特許公報第３６４１３５９号
【考案の概要】
【考案が解決しようとする課題】
【０００５】
上記したようなガードルは、腹部、腰部の補形、成形を目的とし、ショーツに重ねて着用されるが、ボーイズレングスは直接肌に接して、肌着と体型補整との両方の目的を達することが必要とされる。そこで、本考案のボーイズレングスは、緊締力の異なる二種類の弾性糸を使用し、編組織を各部で変えて所要の伸びをもたせることにより、肌触り良く窮屈感をもたずにヒップアップを図ると共に腹部を押さえることを目的としてなされたものである。
【課題を解決するための手段】
【０００６】
本考案の請求項１に記載の女性用成形ショーツは、ショーツ身頃本体の前身頃および後身頃の両面を、ウエスト部から股下脚部上部にかけて、上部、中部、下部の三領域に分けて連続して編成してなる編地とし、成形ショーツ身頃本体の上部、下部の編地に使用される弾性糸を太くて緊締力の強い弾性糸とし、身頃本体の中部に使用される弾性糸を、上部、下部に使用される弾性糸より緊締力の弱い弾性糸とすることにより編成してなる編地を用いた女性用成形ショーツである。
【０００７】
請求項２に記載の女性用成形ショーツ前身頃のショーツ身頃本体上部と中部にわたり、前身頃ウエスト部から前身頃の股下に設けたクロッチ布にいたる腹部を覆う逆三角形部分の編組織、及びショーツ後身頃のショーツ身頃本体下部におけるヒップ下端外周より下方に相当する部分の編組織とを、伸び率を低く編成し、これらの部分の伸び率を低く抑え、腹部を押さえるとともにヒップアップ効果を有するように構成された女性用成形ショーツ瀬ある。
【０００８】
本考案の女性用成形ショーツは、前記腹部を覆う逆三角形部分を除く左右裾口に至る脚部を含む前身頃、及びショーツ後身頃のショーツ身頃本体下部におけるヒップ下端外周より下方に相当する部分を除くヒップ部を含む後身頃、及びクロッチ布とが、弾性糸を使用して請求項２に記載の部位より伸び率の高い編地で編成されている。
【考案の効果】
【０００９】
本考案の女性用成形ショーツは、ショーツの前身頃および後身頃の両面を、上部、中部、下部の三領域に分けて編成し、成形ショーツ身頃本体の上部、下部に使用される弾性糸を太くて緊迫力の強い弾性糸とし、中部に使用される弾性糸を、上部、下部に使用される弾性糸より緊迫力の弱い弾性糸を使用することにより連続して編成し、しかも編組織を部位によって変化させることにより、各部位に必要な伸び率と緊迫性をもたせることができ、女性下半身に無理なくフィットし、着心地の良い成形ショーツが得られた。
た女性用成形ショーツである。
【図面の簡単な説明】
【００１０】
【図１】図１は、本考案の女性用成形ショーツ本体の正面図である。
【図２】図２は、本考案の女性用成形ショーツ本体の背面図である。
【図３】図３は、女性用成形ショーツのクロッチ布を示す平面図である。
【考案を実施するための形態】
【００１１】
本考案の女性用成形ショーツを図面によって説明する。
女性用成形ショーツ本体１の前身頃２及び後身頃３は、前身頃２及び後身頃３の両脇部４，５に剥ぎ目を設けることなく連続して筒状に編成するが、編糸と編組織を女性用成形ショーツのそれぞれの部分において以下に説明するように変更しながら編成する。
【００１２】
まず、前身頃２と後身頃３は、弾性糸と非弾性糸とを引き揃えて、上端部から連続して筒状に編成するが、前身頃２及び後身頃３を横方向に３分割する仮想線Ａ―Ａ，仮想線Ｂ−Ｂで示す位置において、ショーツ前身頃２、ショーツ後身頃３を、上部７、中部８、下部９の三部分において編成に使用する弾性糸のデニール数を変更する。即ち女性用成形ショーツにおいて、ショーツの上部７及び下部９に使用される弾性糸が太くて緊締力の強い弾性糸であり、中部８に使用される弾性糸が上部、下部より緊迫力の弱い弾性糸である。  本考案を限定するものではないが、一例として使用できる弾性糸のデニール数を挙げれば、上部７及び下部９に使用される弾性糸を７０デニールとし、中部８に使用される弾性糸を４０デニールとすることができる。
【００１３】
このように三つの領域に分けて弾性糸を変えて編成すると、即ちショーツの上部７、ショーツの下部９の部分は編地の緊締力が強く、中部８は、上部７、下部９より緊締力の弱い編地が得られる。本考案においては、このような弾性糸の緊締力に加えて、編地の編組織を部分的に変化させることで、さらに成形用ショーツとしての機能を向上させることが好ましい。編地組織の構成について以下に説明する。
【００１４】
即ち、前身頃２の上部７、中部８、下部９には、ウエスト線６よりやや下方の両脇線上点１０，１１より股下に設けられるクロッチ布１２の上端１３にいたる逆三角形状の腹部押さえ部１４を形成するように、この部分をフロート編み等の伸縮性の低い編み組織を適宜選択して編成する。このようにすることで、前身頃の従来のガードル等に設けられる前当て布に相当する部分は、前身頃２の上部７及び下部９の太くて強い緊迫力の強い編糸と、前身頃２の中部８の編糸で伸縮性の低い編み組織によって腹部押さえ部１４が形成され、腹部の突出を防止することが出来る。
前身頃２の上記逆三角形状の腹部押さえ部１４以外の両脚上部１５はそれぞれ後身頃と連続して所定の弾性糸を使用し、プレーン天竺編または畝編等によって編成する。クロッチ布１２は、前身頃２の中部８の編糸により、同様に伸縮性に富んだ編地で図３に示すような形状に編成され、前身頃２、後身頃３の股部分に縫着される。
【００１５】
一方、成形用ショーツの後身頃３においては、上部７は緊締力の強い編糸によりウエスト線６の下方を締めるように作用する。中部８は上部７より前述の如く緊締力の弱い編糸で編成が行われ、ヒップの丸みに添った形状を保つように構成されている。本考案の成形用ショーツの編組織による第二の特徴は、仮想線Ｂ−Ｂより下方に位置し着用者の臀部下端に沿う仮想線１６の下方部分１７の編地を、緊締力の強い編糸を用いて編成されるのに加え、フロート編み等の伸縮性の低い編み組織を適宜選択して編成することにより着用者の臀部下部１７の伸縮性を低く抑え、ヒップアップ効果を達成することを可能とした点にある。前身頃２、後身頃３の上端のウエスト線６には、従来法により伸縮性テープ１８を縫着しても良いが、本考案においては身頃と一体に成形されている。
【産業上の利用可能性】
【００１６】
以上のような構成によって女性用成形用ショーツを編成すれば、煩雑な縫製、縫合を必要とせず、伸縮性糸を使用しての編成のみで着心地が良く、しかも、下半身臀部にフィットするボーイズレングスを得ることが可能である。
【符号の説明】
【００１７】
１  女性用成形ショーツ本体
２  前身頃
３  後身頃
４  脇部
５  脇部
６  ウエスト線
７  上部
８  中部
９  下部
１０，１１  両脇線上点
１２  クロッチ布
１３  クロッチ布上端
１４  腹部押さえ部
１５  両脚上部
１６  仮想線
１７  仮想線下方部分
１８  伸縮性テープ
Ａ−Ａ  仮想線
Ｂ−Ｂ  仮想線
Ｃ−Ｃ  仮想線
【図１】
0003160540.tif 000003
【図２】
0003160540.tif 000004
【図３】
0003160540.tif 000005
【手続補正書】
【提出日】平成22年4月30日(2010.4.30)
【手続補正１】
【補正対象書類名】実用新案登録請求の範囲
【補正対象項目名】全文
【補正方法】変更
【補正の内容】
【実用新案登録請求の範囲】
【請求項１】
女性用成形ショーツにおいて、ショーツ身頃本体の前身頃および後身頃の両面を、ウエスト部から股下脚部上部にかけて、上部、中部、下部の三領域に分けて連続して編成してなる編地とし、成形ショーツ身頃本体の上部、下部の編地に挿入される弾性糸を太くて緊締力の強い弾性糸とし、身頃本体の中部に挿入される弾性糸を、上部、下部に挿入される弾性糸より緊締力の弱い弾性糸とすることにより編成してなる編地を用いたことを特徴とする女性用成形ショーツ。
【請求項２】
女性用成形ショーツ前身頃におけるショーツ身頃本体上部と中部にわたり、前身頃ウエスト部から前身頃の股下に設けたクロッチ布にいたる腹部を覆う逆三角形部分の編み組織と、ショーツ後身頃におけるショーツ身頃本体下部のヒップ下端外周より下方に相当する部分の編み組織とを、伸び率の低い編地で編成し、これらの前身頃及び後身頃における編地部分の伸び率を低く抑えたことを特徴とする請求項１に記載の女性用成形ショーツ。
【請求項３】
女性用成形ショーツの前記腹部を覆う逆三角形部分を除く左右裾口に至る脚部を含む前身頃、及びショーツ後身頃のショーツヒップ下端外周より下方に相当する部分を除く後身頃の編み組織とを、伸び率の低い編地で編成し、これらの前身頃部及び後身頃における編地部、及びクロッチ布とが伸び率の高い編地で編成されていることを特徴とする請求項２に記載の女性用成形ショーツ。  
【手続補正２】
【補正対象書類名】明細書
【補正対象項目名】０００５
【補正方法】変更
【補正の内容】
【０００５】
上記したようなガードルは、腹部、腰部の補形、成形を目的とし、ショーツに重ねて着用されるが、ボーイズレングスは直接肌に接して、肌着と体型補整との両方の目的を達することが必要とされる。そこで、本考案のボーイズレングスは、緊締力の異なる二種類の弾性糸を使用し、編組織を各部で変えて所要の伸びをもたせることにより、肌触り良く窮屈感をもたずにヒップアップを図ると共に腹部を押さえることを目的としてなされたものである。
【手続補正３】
【補正対象書類名】明細書
【補正対象項目名】０００６
【補正方法】変更
【補正の内容】
【０００６】
本考案の請求項１に記載の女性用成形ショーツは、女性用成形ショーツにおいて、ショーツ身頃本体の前身頃および後身頃の両面を、ウエスト部から股下脚部上部にかけて、上部、中部、下部の三領域に分けて連続して編成してなる編地とし、成形ショーツ身頃本体の上部、下部の編地に挿入される弾性糸を太くて緊締力の強い弾性糸とし、身頃本体の中部に挿入される弾性糸を、上部、下部に挿入される弾性糸より緊締力の弱い弾性糸とすることにより編成してなる編地を用いた女性用成形ショーツである。
【手続補正４】
【補正対象書類名】明細書
【補正対象項目名】０００７
【補正方法】変更
【補正の内容】
【０００７】
請求項２に記載の女性用成形ショーツは、女性用成形ショーツ前身頃におけるショーツ身頃本体上部と中部にわたり、前身頃ウエスト部から前身頃の股下に設けたクロッチ布にいたる腹部を覆う逆三角形部分の編組織と、ショーツ後身頃におけるショーツ身頃本体下部のヒップ下端外周より下方に相当する部分の編組織とを、伸び率の低い編地で編成し、これらの前身頃及び後身頃における編地部分の伸び率を低く抑え、腹部を押さえるとともにヒップアップ効果を有するように構成された女性用成形ショーツ瀬ある。
【手続補正５】
【補正対象書類名】明細書
【補正対象項目名】０００８
【補正方法】変更
【補正の内容】
【０００８】
請求項３記載の女性用成形ショーツは、女性用ショーツの前記腹部を覆う逆三角形部分を除く左右裾口に至る脚部を含む前身頃、及びショーツ後身頃のショーツヒップ下端外周より下方に相当する部分を除く後身頃の編み組織とを、伸び率の低い編地で編成し、これらの前身頃及び後身頃における編地部及びクロッチ布とが伸び率の高い編地で編成されている。
【手続補正６】
【補正対象書類名】明細書
【補正対象項目名】００１４
【補正方法】変更
【補正の内容】
【００１４】
即ち、前身頃２の上部７、中部８、下部９には、ウエスト線６よりやや下方の両脇線上点１０，１１から股下に設けられたクロッチ布１２の上端１３にいたる逆三角形状の腹部押さえ部１４を形成するように、この部分１４をフロート編み等の伸縮性の低い編み組織を適宜選択して編成する。このようにすることで、前身頃の従来のガードル等に設けられる前当て布に相当する部分は、前身頃２の上部７及び下部９の太くて強い緊迫力の強い編糸の使用と、前身頃２の中部８の編糸で伸縮性の低い編み組織による編成とによって腹部押さえ部１４が形成され、腹部の突出を防止することが出来る。
前身頃２の上記逆三角形状の腹部押さえ部１４以外の両脚上部１５はそれぞれ後身頃と連続して所定の弾性糸を使用し、プレーン天竺編または畝編等によって編成する。クロッチ布１２は、前身頃２の中部８の編糸により、同様に伸縮性に富んだ編地で図３に示すような形状に編成され、前身頃２、後身頃３の股部分に縫着される。